(57)【要約】【課題】接続する機器を切り替える構成の簡素化を図ることができるとともに、ユーザビリティを向上させることができる切替装置および切替方法を提供する。【解決手段】切替装置において、操作部と、モード切替部と、機器切替部とを備える。操作部は、動作モードを予め設定された所定動作モードに切り替えるモード切替要求操作、および、接続する機器を切り替える機器切替要求操作を受け付ける。モード切替部は、モード切替要求操作が受け付けられた場合に、所定動作モードに切り替える。機器切替部は、所定動作モードに切り替えられた状態において、機器切替要求操作が受け付けられた場合に、所定動作モードに対応する複数の機器の中から接続する機器を切り替える。【選択図】図１Ｂ
2016218797.tif 000002
【特許請求の範囲】
【請求項１】
動作モードを予め設定された所定動作モードに切り替えるモード切替要求操作、および、接続する機器を切り替える機器切替要求操作を受け付ける操作部と、
前記操作部によって前記モード切替要求操作が受け付けられた場合に、前記所定動作モードに切り替えるモード切替部と、
前記モード切替部によって前記所定動作モードに切り替えられた状態において、前記操作部によって前記機器切替要求操作が受け付けられた場合に、前記所定動作モードに対応する複数の機器の中から接続する機器を切り替える機器切替部と
を備えることを特徴とする切替装置。
【請求項２】
前記機器切替部は、
前記操作部によって前記機器切替要求操作が受け付けられる度に、前記複数の機器の中から接続する機器を順次サイクリックに切り替えること
を特徴とする請求項１に記載の切替装置。
【請求項３】
接続認証されて接続が許可された機器の情報を登録する登録部
を備え、
前記機器切替部は、
切り替え先の機器との接続が失敗した場合、接続する機器を、前記接続が失敗した機器の次に登録された機器に切り替えること
を特徴とする請求項１または２に記載の切替装置。
【請求項４】
接続認証されて接続が許可された機器の情報を登録する登録部と、
前記登録された機器の接続状態を監視する監視部と
を備えることを特徴とする請求項１〜３のいずれか一つに記載の切替装置。
【請求項５】
前記機器切替部は、
前記監視部によって接続可能な状態が検出された機器に対してのみ機器の切り替えを行うこと
を特徴とする請求項４に記載の切替装置。
【請求項６】
前記監視部による監視結果を表示部に表示させる表示制御部
を備えることを特徴とする請求項４または５に記載の切替装置。
【請求項７】
動作モードを予め設定された所定動作モードに切り替えるモード切替要求操作、および、接続する機器を切り替える機器切替要求操作を受け付ける操作部において、前記モード切替要求操作が受け付けられた場合に、前記所定動作モードに切り替えるモード切替工程と、
前記モード切替工程によって前記所定動作モードに切り替えられた状態において、前記操作部によって前記機器切替要求操作が受け付けられた場合に、前記所定動作モードに対応する複数の機器の中から接続する機器を切り替える機器切替工程と
を含むことを特徴とする切替方法。
【発明の詳細な説明】
【技術分野】
【０００１】
本発明は、切替装置および切替方法に関する。
【背景技術】
【０００２】
従来、例えば、車載装置においては、スマートフォンなどの外部機器から無線通信を介して供給されるコンテンツを出力する無線通信モードや、ラジオ受信部で受信したラジオコンテンツを出力するラジオモードなど、複数の動作モードを備えている。
【０００３】
また、上記した外部機器（以下、単に「機器」と記載する）にあっては、車載装置付近の無線通信が可能な範囲に複数存在する場合がある。そこで、近年、複数の機器の中から実際に車載装置と接続する機器を、ユーザが所定のボタンを操作することで切り替えるようにした技術が提案されている（例えば、特許文献１参照）。
【０００４】
上記した従来技術においては、接続する機器を切り替える場合、ユーザは先ず、モード切替ボタンを操作することで、動作モードを所望する動作モード（例えば無線通信モード）に切り替える。続いて、ユーザは、機器変更ボタンを操作することで、接続可能な機器名が列挙された機器リストをディスプレイに表示させる。その後、ユーザは、機器リストの中から所望する機器を示す機器ボタンを選択して操作することで、接続する機器の切り替えを行うようにしている。
【先行技術文献】
【特許文献】
【０００５】
【特許文献１】特開２０１４−２０４３０３号公報
【発明の概要】
【発明が解決しようとする課題】
【０００６】
しかしながら、上記した従来技術では、接続する機器を切り替えるために操作するボタンが複数あって構成が複雑になるとともに、かかる複数のボタンの操作はユーザにとって煩わしく、ユーザビリティを向上させるという点で改善の余地があった。
【０００７】
本発明は、上記に鑑みてなされたものであって、接続する機器を切り替える構成の簡素化を図ることができるとともに、ユーザビリティを向上させることができる切替装置および切替方法を提供することを目的とする。
【課題を解決するための手段】
【０００８】
上記課題を解決し、目的を達成するために、本発明は、切替装置において、操作部と、モード切替部と、機器切替部とを備える。操作部は、動作モードを予め設定された所定動作モードに切り替えるモード切替要求操作、および、接続する機器を切り替える機器切替要求操作を受け付ける。モード切替部は、前記操作部によって前記モード切替要求操作が受け付けられた場合に、前記所定動作モードに切り替える。機器切替部は、前記モード切替部によって前記所定動作モードに切り替えられた状態において、前記操作部によって前記機器切替要求操作が受け付けられた場合に、前記所定動作モードに対応する複数の機器の中から接続する機器を切り替える。
【発明の効果】
【０００９】
本発明によれば、接続する機器を切り替える構成の簡素化を図ることができるとともに、ユーザビリティを向上させることができる。
【図面の簡単な説明】
【００１０】
【図１Ａ】図１Ａは、第１の実施形態に係る切替装置を備えた車載システムの構成例を示す図である。
【図１Ｂ】図１Ｂは、切替装置を用いて動作モード、および、接続する機器を切り替える手法の概要を示す図である。
【図２】図２は、第１の実施形態における車載装置の構成例を示すブロック図である。
【図３】図３は、無線通信ボタン、ラジオボタンおよびＣＤ／ＤＶＤボタンの配置例を示す図である。
【図４】図４は、第１の実施形態における動作モードの切替処理、および、機器の切替処理の処理手順を示すフローチャートである。
【図５】図５は、第２の実施形態に係る切替装置を備えた車載装置の構成例を示すブロック図である。
【図６】図６は、監視結果が表示されたディスプレイを示す図である。
【図７】図７は、第２の実施形態における動作モードの切替処理、および、機器の切替処理の処理手順を示すフローチャートである。
【図８】図８は、第３の実施形態に係る切替装置を備えた車載装置の構成例を示すブロック図である。
【図９】図９は、プリセットボタンの配置例を示す図である。
【図１０】図１０は、第３の実施形態における動作モードの切替処理、および、機器の切替処理の処理手順を示すフローチャートである。
【図１１】図１１は、第４の実施形態における動作モードの切替処理、および、機器の切替処理の処理手順を示すフローチャートである。
【発明を実施するための形態】
【００１１】
以下、添付図面を参照して、本願の開示する切替装置および切替方法の実施形態を詳細に説明する。なお、以下に示す実施形態によりこの発明が限定されるものではない。
【００１２】
（第１の実施形態）
＜１．動作モード切替手法および機器切替手法の概要＞
以下では先ず、第１の実施形態に係る切替装置において、動作モードを切り替える手法、および、接続する機器を切り替える手法の概要について図１Ａ，１Ｂを参照して説明する。
【００１３】
図１Ａは、第１の実施形態に係る切替装置を備えた車載システムの構成例を示す図である。また、図１Ｂは、切替装置を用いて動作モード、および、接続する機器を切り替える手法の概要を示す図である。
【００１４】
図１Ａに示すように、車載システム１０は、自動車などの車両１１に搭載される車載装置２０と、車載装置２０に無線通信を介して通信可能に接続される機器Ｄとを備える。なお、機器Ｄは、接続認証などを含むペアリング処理を行うことで、車載装置２０に対して通信が許可された機器であるが、これについては後述する。
【００１５】
車載装置２０は、後述する切替装置４０と、ディスプレイ５０と、スピーカ６０とを備える。車載装置２０は、動作モードが「無線通信モード」である場合、機器Ｄから無線通信を介して供給されるコンテンツ（後述）を、上記したディスプレイ５０やスピーカ６０から出力する。なお、ディスプレイ５０は、表示部の一例である。
【００１６】
また、車載装置２０は、ラジオ受信部（図１Ａで図示せず）を備える。車載装置２０は、動作モードが「ラジオモード」である場合、ラジオ受信部で受信したラジオコンテンツを、スピーカ６０等から出力する。このように、車載装置２０は、複数の動作モードを備えている。
【００１７】
機器Ｄは、例えば携帯電話やスマートフォンなどの外部機器であり、上記したコンテンツを格納している。かかるコンテンツには、例えば楽曲（音楽）の情報が含まれるが、コンテンツの内容はこれらに限定されるものではない。すなわち、コンテンツの内容は、車載装置２０へ出力される情報であれば、映像や画像などその他の種類の情報であってもよい。
【００１８】
なお、機器Ｄは、上記した携帯電話等に限られるものではなく、音楽プレーヤ、ＤＶＤプレーヤ、携帯型ゲーム機やタブレット端末などであってもよい。
【００１９】
図１Ａに示す例では、機器Ｄは複数あり、複数の機器Ｄはいずれも車載装置２０付近の無線通信が可能な範囲に位置しているものとする。以下、複数の機器Ｄうちの３台の機器Ｄを「第１機器Ｄ１」、「第２機器Ｄ２」、「第３機器Ｄ３」と表現する場合がある。また、第１機器Ｄ１を「デバイス１」、第２機器Ｄ２を「デバイス２」、第３機器Ｄ３を「デバイス３」など、対応させた表現で記載する場合もある。
【００２０】
ここでは、動作モードを複数備えるとともに、複数の機器Ｄが接続可能とされる車載装置２０において、動作モードの切り替え、および、接続する機器Ｄの切り替えが行われる場合を例にとって説明する。具体的には、車載装置２０において、動作モードをラジオモードから無線通信モードへ切り替えて第１機器Ｄ１と接続し、次いで、接続する機器Ｄを第１機器Ｄ１から第２機器Ｄ２へ切り替える場合を例にとって説明する。
【００２１】
ところで、従来、ユーザは、例えばモード切替ボタンを操作して動作モードをラジオモードから無線通信モードへ切り替え、第１機器Ｄ１との接続を行う。続いて、ユーザは、モード切替ボタンとは別の機器変更ボタンを操作して、接続可能な機器名が列挙された機器リストをディスプレイ５０に表示させる。その後、ユーザは、機器リストの中から第２機器Ｄ２を示す機器ボタンを操作して、接続する機器Ｄを第１機器Ｄ１から第２機器Ｄ２へ切り替えていた。
【００２２】
このように、モード切替ボタン、機器変更ボタンおよび機器ボタンなど複数のボタンを備えた切替装置の場合、構成が複雑になるとともに、かかる複数のボタンの操作はユーザにとって煩わしく、ユーザビリティの低下を招くおそれがあった。
【００２３】
そこで、本実施形態に係る切替装置４０にあっては、図１Ｂに示すように、１つの無線通信ボタン４１を備え、かかる無線通信ボタン４１の操作で、動作モードの切り替え、および、接続する機器Ｄの切り替えの両方が行えるようにした。
【００２４】
なお、図１Ｂでは、ディスプレイ５０に、現在の動作モードや現在接続している機器Ｄが表示されるものとする。具体的には、図１Ｂの左側のディスプレイ５０は動作モードがラジオモードであることを示している。また、図１Ｂの中央のディスプレイ５０は動作モードが無線通信モードで第１機器Ｄ１（デバイス１）と接続していることを示し、右側のディスプレイ５０は動作モードが無線通信モードで第２機器Ｄ２（デバイス２）と接続していることを示している。
【００２５】
詳しくは、切替装置４０は、図１Ｂに示すように、動作モードがラジオモードであるときに、ユーザＡによって無線通信ボタン４１が操作されると、動作モードをラジオモードから無線通信モードへ切り替え、第１機器Ｄ１との接続を行う。切替装置４０は、ユーザＡによって無線通信ボタン４１が再び操作されると、接続する機器Ｄを第１機器Ｄ１から第２機器Ｄ２へ切り替える。
【００２６】
すなわち、無線通信ボタン４１は、動作モードを予め設定された所定動作モード（ここでは無線通信モード）に切り替えるモード機器切替要求操作、および、接続する機器Ｄを切り替える機器切替要求操作の両方を受け付けるようにした。言い換えると、第１の実施形態では、モード機器切替要求操作を受け付けるボタンと、機器切替要求操作を受け付けるボタンとを、１つのボタンで兼用するようにした。
【００２７】
これにより、第１の実施形態にあっては、接続する機器Ｄの切り替えに用いられるボタンの数を従来に比べて減らすことができ、よって切替装置４０の構成の簡素化を図ることができる。
【００２８】
また、第１の実施形態にあっては、上記のように、動作モードの切り替え操作、および、接続する機器Ｄの切り替え操作を、同じ無線通信ボタン４１で容易に行うことができるため、ユーザビリティを向上させることができる。
【００２９】
＜２．車載装置の構成＞
次に、図２を用いて、第１の実施形態に係る切替装置４０を備えた車載装置２０の構成を説明する。図２は、第１の実施形態における車載装置２０の構成例を示すブロック図である。
【００３０】
車載装置２０は、無線通信部３０と、ラジオ受信部３１と、ディスク再生部３２と、上記した切替装置４０と、ディスプレイ５０と、スピーカ６０と、アンプ６１とを備える。
【００３１】
無線通信部３０は、機器Ｄに無線通信を介して接続され、コンテンツや認証情報を含む各種データの送受信を行う。無線通信部３０は、機器Ｄから受信したデータを切替装置４０へ出力する。なお、上記した無線通信としては、例えばBluetooth（登録商標）などの所定の通信方式を用いることができるが、これに限定されるものではない。
【００３２】
ラジオ受信部３１は、各ラジオ局に無線通信で接続され、ＦＭ、ＡＭなどの放送信号を受信して、受信したラジオコンテンツを切替装置４０へ出力する。ディスク再生部３２は、ＣＤやＤＶＤなどの記憶媒体を受け付け、記憶媒体に書き込まれているコンテンツを読み出して、切替装置４０へ出力する。
【００３３】
切替装置４０は、上記した無線通信ボタン４１と、ラジオボタン４２と、ＣＤ／ＤＶＤボタン４３と、制御部４５と、記憶部４６とを備える。
【００３４】
図３は、無線通信ボタン４１、ラジオボタン４２およびＣＤ／ＤＶＤボタン４３の配置例を示す図である。なお、図３では、無線通信ボタン４１に「ＢＴ−Ａ（Bluetooth  Audio）」と記載されているが、これは例示であって限定されるものではない。
【００３５】
各ボタン４１，４２，４３は、例えば車両１１（図１Ａ参照）の車室内において、ユーザによって操作可能な位置に設けられる。例えば、ディスプレイ５０が車両１１のダッシュボード（図示せず）に取り付けられる場合、図３に示すように、ディスプレイ５０の付近に各ボタン４１，４２，４３が設けられる。
【００３６】
なお、図３に示す各ボタン４１，４２，４３の配置位置や形状などは例示であって限定されるものではない。すなわち、各ボタン４１，４２，４３の一部または全部が、例えば図示しないハンドルなど別の場所に設けられるようにしてもよい。
【００３７】
各ボタン４１，４２，４３としては、ハードボタン（ハードキー）などの入力デバイスを用いることができるが、これに限定されるものではない。すなわち、例えばディスプレイ５０が、タッチ操作可能な液晶タッチパネルである場合、各ボタン４１，４２，４３をディスプレイ５０上に表示させるようにしてもよい。なお、上記した各ボタン４１，４２，４３は、操作部の一例である。
【００３８】
図２の説明に戻ると、無線通信ボタン４１は、動作モードを無線通信モードに切り替える際、または、機器Ｄを切り替える際にユーザによって押下される。無線通信ボタン４１は、押下されると、押下されたことを示す押下信号を制御部４５へ出力する。
【００３９】
ラジオボタン４２は、動作モードをラジオモードに切り替える際にユーザによって押下される。ＣＤ／ＤＶＤボタン４３は、動作モードをＣＤ／ＤＶＤモードに切り替える際にユーザによって押下される。なお、ＣＤ／ＤＶＤモードとは、ディスク再生部３２で読み出したＣＤやＤＶＤのコンテンツを、スピーカ６０などから出力する動作モードである。
【００４０】
ラジオボタン４２およびＣＤ／ＤＶＤボタン４３は、無線通信ボタン４１と同様、押下されると、押下されたことを示す押下信号を制御部４５へ出力する。
【００４１】
制御部４５は、ＣＰＵなどを備えたマイクロコンピュータであり、切替装置４０全体を制御する。具体的に、制御部４５は、操作受付部４５ａと、登録部４５ｂと、モード切替部４５ｃと、機器切替部４５ｄと、音声制御部４５ｅと、表示制御部４５ｆとを備える。
【００４２】
操作受付部４５ａには、上記した各ボタン４１，４２，４３から出力された押下信号が入力される。これにより、操作受付部４５ａは、各ボタン４１，４２，４３を介してユーザから入力された各種の要求操作を受け付ける。
【００４３】
詳しくは、操作受付部４５ａは、現在の動作モードが無線通信モード以外のときに無線通信ボタン４１が押下された場合、出力された押下信号を無線通信モードへのモード切替要求操作として受け付ける。
【００４４】
また、操作受付部４５ａは、現在の動作モードが無線通信モードであるときに無線通信ボタン４１が押下された場合、出力された押下信号を機器切替要求操作として受け付ける。
【００４５】
また、操作受付部４５ａは、現在の動作モードがラジオモード以外のときにラジオボタン４２が押下された場合、出力された押下信号をラジオモードへのモード切替要求操作として受け付ける。同様に、操作受付部４５ａは、現在の動作モードがＣＤ／ＤＶＤモード以外のときにＣＤ／ＤＶＤボタン４３が押下された場合、出力された押下信号をＣＤ／ＤＶＤモードへのモード切替要求操作として受け付ける。
【００４６】
登録部４５ｂは、機器Ｄとの接続認証等を含むペアリング処理を行って、接続が許可された機器Ｄの情報を、登録デバイス情報４６ａとして記憶部４６に記憶させる。
【００４７】
モード切替部４５ｃは、各ボタン４１，４２，４３によってモード切替要求操作が受け付けられた場合に、各ボタン４１，４２，４３に対応する動作モードに切り替える。
【００４８】
機器切替部４５ｄは、モード切替部４５ｃによって例えば無線通信モードに切り替えられた状態において、無線通信ボタン４１によって機器切替要求操作が受け付けられた場合に、無線通信モードに対応する第１〜第３機器Ｄ１〜Ｄ３の中から接続する機器を切り替える。
【００４９】
このように、モード切替部４５ｃおよび機器切替部４５ｄを上記のように構成したことで、動作モードの切り替え操作、および、接続する機器Ｄの切り替え操作を、同じ無線通信ボタン４１で容易に行うことができる。
【００５０】
また、機器切替部４５ｄは、例えば、無線通信ボタン４１によって機器切替要求操作が受け付けられる度に、複数の機器Ｄの中から接続する機器Ｄを順次サイクリックに切り替えることが好ましい。
【００５１】
具体的には、現在のモードが無線通信モードで第１機器Ｄ１が接続されている場合、機器切替部４５ｄは、無線通信ボタン４１が押下される毎に、接続する機器Ｄを、第１機器Ｄ１→第２機器Ｄ２→第３機器Ｄ３→第１機器Ｄ１→・・のように、順番に切り替える。
【００５２】
これにより、ユーザは、従来の機器リストをディスプレイ５０に表示させることなく、無線通信ボタン４１を何度か押下すれば、所望する機器Ｄに接続することが可能となり、ユーザビリティをより向上させることができる。
【００５３】
音声制御部４５ｅは、機器Ｄやラジオ受信部３１などから供給される音声信号をアンプ６１へ出力することで、コンテンツなどを再生する。アンプ６１は、音声制御部４５ｅから出力された音声信号を増幅してスピーカ６０に出力し、出音させる、換言すればコンテンツを再生させる。
【００５４】
表示制御部４５ｆは、上記したように、現在の動作モードや接続している機器Ｄの名称、接続している機器Ｄから供給されたコンテンツの内容情報などをディスプレイ５０に表示させる。
【００５５】
記憶部４６は、上記した登録デバイス情報４６ａなどを記憶する。記憶部４６としては、例えばＥＰＲＯＭ（Erasable  Programmable  Read  Only  Memory）やフラッシュメモリ等を用いることができるが、これに限定されるものではない。
【００５６】
＜３．処理フローチャート＞
次に、切替装置４０で実行される動作モードの切替処理、および、機器Ｄの切替処理の内容について図４を参照して説明する。図４は、第１の実施形態における動作モードの切替処理、および、機器Ｄの切替処理の処理手順を示すフローチャートである。
【００５７】
なお、図４に示す処理は、動作モードを無線通信モード以外から無線通信モードへ切り替え、その後機器Ｄを切り替える場合を想定して説明する。また、登録デバイス情報４６ａに登録されている機器Ｄは、第１〜第３機器Ｄ１〜Ｄ３の順で登録されているものとする。
【００５８】
図４に示すように、制御部４５のモード切替部４５ｃは、無線通信ボタン４１がユーザによって押下されたか否かを判定する（ステップＳ１０１）。モード切替部４５ｃは、無線通信ボタン４１がユーザによって押下されない場合（ステップＳ１０１，Ｎｏ）、処理を終了する。
【００５９】
一方、モード切替部４５ｃは、無線通信ボタン４１がユーザによって押下されてモード切替要求操作を受け付けた場合（ステップＳ１０１，Ｙｅｓ）、動作モードを無線通信モードへ切り替える（ステップＳ１０２）。
【００６０】
続いて、制御部４５の機器切替部４５ｄは、デバイス１に接続してコンテンツを再生する（ステップＳ１０３）。次に、機器切替部４５ｄは、無線通信ボタン４１がユーザによって押下されたか否かを判定する（ステップＳ１０４）。ここでは、現在の動作モードが無線通信モードであるため、ステップＳ１０４の処理は、無線通信ボタン４１を介して機器切替要求操作を受け付けたか否かを判定する処理である。
【００６１】
機器切替部４５ｄは、無線通信ボタン４１がユーザによって押下されない場合（ステップＳ１０４，Ｎｏ）、Ｓ１０４の処理へ戻る。一方、機器切替部４５ｄは、無線通信ボタン４１が押下されて機器切替要求操作を受け付けた場合（ステップＳ１０４，Ｙｅｓ）、デバイス１の次に登録されたデバイス２への接続処理を実行する（ステップＳ１０５）。
【００６２】
続いて、機器切替部４５ｄは、デバイス２への接続が完了したか否かを判定する（ステップＳ１０６）。機器切替部４５ｄは、デバイス２への接続が完了したと判定した場合（ステップＳ１０６，Ｙｅｓ）、デバイス２から供給されたコンテンツを再生する（ステップＳ１０７）。
【００６３】
次に、機器切替部４５ｄは、無線通信ボタン４１がユーザによって押下されたか否かを判定する（ステップＳ１０８）。ここでは、現在の動作モードが無線通信モードであるため、ステップＳ１０８の処理は、ステップＳ１０４と同様、無線通信ボタン４１を介して機器切替要求操作を受け付けたか否かを判定する処理である。
【００６４】
機器切替部４５ｄは、無線通信ボタン４１がユーザによって押下されない場合（ステップＳ１０８，Ｎｏ）、Ｓ１０８の処理へ戻る。一方、機器切替部４５ｄは、無線通信ボタン４１が押下されて機器切替要求操作を受け付けた場合（ステップＳ１０８，Ｙｅｓ）、デバイス３への接続処理を実行する（ステップＳ１０９）。
【００６５】
他方、機器切替部４５ｄは、デバイス２への接続が完了しないと判定した場合（ステップＳ１０６，Ｎｏ）、表示制御部４５ｆを介してディスプレイ５０に例えば「デバイス２に接続できませんでした」など接続失敗を示す表示を行い（ステップＳ１１０）、その後ステップＳ１０９へ進んでデバイス３への接続処理を実行する。
【００６６】
このように、機器切替部４５ｄは、切り替え先の機器Ｄ（ここではデバイス２）との接続が失敗した場合、接続する機器Ｄを、接続が失敗したデバイス２の次に登録されたデバイス３に切り替える。
【００６７】
これにより、ユーザが無線通信ボタン４１を再度押下することなく、次の接続可能な機器Ｄを探すこととなり、ユーザの操作の負担を軽減してユーザビリティをより向上させることができる。
【００６８】
なお、図示は省略するが、機器切替部４５ｄは、ステップＳ１０５のデバイス２への接続処理中に無線通信ボタン４１が押下された場合、デバイス２への接続処理を中止して、デバイス３への接続処理を実行するようにしてもよい。
【００６９】
次いで、機器切替部４５ｄは、デバイス３への接続が完了したか否かを判定する（ステップＳ１１１）。機器切替部４５ｄは、デバイス３への接続が完了したと判定した場合（ステップＳ１１１，Ｙｅｓ）、デバイス３から供給されたコンテンツを再生する（ステップＳ１１２）。
【００７０】
次いで、機器切替部４５ｄは、無線通信ボタン４１がユーザによって押下されたか否かを判定する（ステップＳ１１３）。ここでは、現在の動作モードが無線通信モードであるため、ステップＳ１１３の処理は、ステップＳ１０４，Ｓ１０８と同様、無線通信ボタン４１を介して機器切替要求操作を受け付けたか否かを判定する処理である。
【００７１】
機器切替部４５ｄは、無線通信ボタン４１がユーザによって押下されない場合（ステップＳ１１３，Ｎｏ）、Ｓ１１３の処理へ戻る。一方、機器切替部４５ｄは、無線通信ボタン４１が押下されて機器切替要求操作を受け付けた場合（ステップＳ１１３，Ｙｅｓ）、デバイス１への接続処理を実行する（ステップＳ１１４）。
【００７２】
また、機器切替部４５ｄは、デバイス３への接続が完了しないと判定した場合（ステップＳ１１１，Ｎｏ）、表示制御部４５ｆを介してディスプレイ５０に例えば「デバイス３に接続できませんでした」など接続失敗を示す表示を行い（ステップＳ１１５）、ステップ１１４へ進んでデバイス１への接続処理を実行する。
【００７３】
次いで、機器切替部４５ｄは、デバイス１への接続が完了したか否かを判定する（ステップＳ１１６）。機器切替部４５ｄは、デバイス１への接続が完了したと判定した場合（ステップＳ１１６，Ｙｅｓ）、デバイス１から供給されたコンテンツを再生する（ステップＳ１１７）。
【００７４】
他方、デバイス１への接続が完了しないと判定した場合（ステップＳ１１６，Ｎｏ）、表示制御部４５ｆを介してディスプレイ５０に例えば「接続できるデバイスはありません」など接続失敗を示す表示を行う（ステップＳ１１８）。すなわち、機器切替部４５ｄは、デバイス２、デバイス３、デバイス１の順番で接続処理を行ったが、いずれのデバイスにも接続できない状態であるため、上記した接続失敗を示す表示を行って、機器Ｄの切り替え処理を終了する。
【００７５】
上述してきたように、第１の実施形態に係る切替装置４０は、無線通信ボタン４１と、モード切替部４５ｃと、機器切替部４５ｄとを備える。無線通信ボタン４１は、動作モードを予め設定された所定動作モード（無線通信モード）に切り替えるモード切替要求操作、および、接続する機器Ｄを切り替える機器切替要求操作を受け付ける。
【００７６】
モード切替部４５ｃは、無線通信ボタン４１によってモード切替要求操作が受け付けられた場合に、無線通信モードに切り替える。機器切替部４５ｄは、無線通信モードに切り替えられた状態において、無線通信ボタン４１によって機器切替要求操作が受け付けられた場合に、無線通信モードに対応する複数の機器Ｄの中から接続する機器Ｄを切り替える。これにより、第１の実施形態では、接続する機器Ｄを切り替える構成の簡素化を図ることができるとともに、ユーザビリティを向上させることができる。
【００７７】
（第２の実施形態）
＜４．第２の実施形態に係る切替装置の構成＞
次いで、第２の実施形態に係る切替装置４０について説明する。なお、以下においては、第１の実施形態と共通の構成については、同一の符号を付して説明を省略する。
【００７８】
第２の実施形態に係る切替装置４０では、登録された機器Ｄ（以下、「登録デバイス」ともいう）の接続状態を監視するような構成とした。そして、切替装置４０は、機器Ｄを切り替える際、接続可能とされた機器Ｄに対してのみ、機器Ｄの切り替えを行うようにした。
【００７９】
図５は、第２の実施形態に係る切替装置４０を備えた車載装置２０の構成例を示すブロック図である。図５に示すように、第２の実施形態に係る切替装置４０の制御部４５はさらに、監視部４５ｇを備える。
【００８０】
監視部４５ｇは、登録された機器Ｄの接続状態を監視する、詳しくは、登録された機器Ｄが接続可能な状態にあるか否かを常時または定期的に監視する。例えば、監視部４５ｇは、登録された機器Ｄに対し、応答要求信号を所定時間間隔で送信し、対応する機器Ｄから応答信号が返ってきた場合、当該機器Ｄは通信可能状態にあると判定する。なお、監視部４５ｇにおける通信可能状態の監視手法は、上記に限定されるものではない。
【００８１】
また、表示制御部４５ｆは、監視部４５ｇによる監視結果をディスプレイ５０に表示させる。図６は、監視結果が表示されたディスプレイ５０を示す図である。なお、ここでは、車載装置２０は、最大６台の機器Ｄを登録できるものとする。なお、上記した登録可能な台数の具体的な数値は、例示であって限定されるものではない。
【００８２】
図６に示すように、表示制御部４５ｆは、監視部４５ｇの監視結果を、デバイス１からデバイス６に対応するマーク７０でディスプレイ５０に表示させる。図６に示す例では、マーク７０ａは、デバイス１に対応し、現在接続中であることを示している。
【００８３】
また、マーク７０ｂ〜７０ｄはそれぞれ、デバイス２〜４に対応し、接続できない状態であることを示している。具体的には、デバイス２〜４は、車載装置２０に登録はされているものの、車載装置２０の付近にない、または電源が入っていない状態にあると推定される。
【００８４】
マーク７０ｅは、デバイス５に対応し、接続可能状態であることを示している。また、マーク７０ｆは、デバイス６に相当する機器Ｄが車載装置２０に登録されていない、すなわち、未登録であることを示している。
【００８５】
なお、図６に示す例では、マーク７０ａ〜７０ｆを、白抜きの数字や破線、実線、斜め線などで示しているが、これらはあくまでも例示であって、色や形状、点滅の有無など表示手法を適宜に変更してもよい。
【００８６】
＜５．第２の実施形態における処理フローチャート＞
次に、第２の実施形態に係る切替装置４０で実行される動作モードの切替処理、および、機器Ｄの切替処理の内容について図７を参照して説明する。図７は、第２の実施形態における動作モードの切替処理、および、機器Ｄの切替処理の処理手順を示すフローチャートである。
【００８７】
なお、図７に示す処理は、動作モードを無線通信モード以外から無線通信モードへ切り替え、その後機器Ｄを切り替える場合を想定して説明する。また、登録デバイス情報４６ａに登録されている機器Ｄは、図６に示す例と同じであるものとする。すなわち、デバイス１〜５が登録されており、デバイス１とデバイス５とが接続可能な状態が監視部４５ｇによって検出されているものとする。
【００８８】
図７において、ステップＳ２０１〜Ｓ２０４までの処理は、上記したステップＳ１０１〜Ｓ１０４と同様であるため、説明を省略する。
【００８９】
機器切替部４５ｄは、ステップＳ２０３でデバイス１のコンテンツが再生された状態で機器切替要求操作を受け付けた場合（ステップＳ２０４，Ｙｅｓ）、続いて、接続可能なデバイスが他にあるか否かを判定する（ステップＳ２０５）。
【００９０】
ここでは、現在接続中のデバイス１の他に、デバイス５が接続可能である。従って、切替装置４０は、接続可能なデバイスが他にあると判定し（ステップＳ２０５，Ｙｅｓ）、接続可能なデバイス、すなわち、デバイス５への接続処理を実行する（ステップＳ２０６）。
【００９１】
このように、機器切替部４５ｄは、監視部４５ｇによって接続可能な状態が検出されたデバイスに対してのみ切り替えを行う、逆に言えば、接続不可のデバイス（ここではデバイス２〜４）については切り替えを行わない（スキップする）ようにした。これにより、接続不可のデバイスに対して接続処理を行ってしまうなど不要な処理時間が生じず、デバイス切り替えの操作時間の短縮を図ることができる。
【００９２】
ここで、例えば仮に、デバイス５が接続不可の状態が監視部４５ｇによって検出されていた場合、接続可能なデバイスは、デバイス１のみとなる。このような場合、機器切替部４５ｄは、接続可能なデバイスが他にないと判定し（ステップＳ２０５，Ｎｏ）、ステップＳ２０３に戻ってデバイス１の再生を継続する。
【００９３】
なお、機器切替部４５ｄは、ステップＳ２０３に戻る前に、表示制御部４５ｆを介して「接続可能なデバイスが他にありません」などのメッセージをディスプレイ５０に表示させてもよい。
【００９４】
ステップＳ２０６の処理後、機器切替部４５ｄは、接続可能なデバイスたるデバイス５への接続が完了したか否かを判定する（ステップＳ２０７）。機器切替部４５ｄは、デバイス５への接続が完了したと判定した場合（ステップＳ２０７，Ｙｅｓ）、接続可能なデバイスから供給されたコンテンツを再生する（ステップＳ２０８）。
【００９５】
また、機器切替部４５ｄは、デバイス５への接続が完了しないと判定した場合（ステップＳ２０７，Ｎｏ）、表示制御部４５ｆを介してディスプレイ５０に例えば「デバイス５に接続できませんでした」など接続失敗を示す表示を行う（ステップＳ２０９）。
【００９６】
上記のように、接続可能なデバイス５に対して接続が完了しない場面としては、例えば、接続処理の途中で、デバイス５が車載装置２０から離された、あるいは、デバイス５の電源が切れたなどの場面などである。
【００９７】
続いて、機器切替部４５ｄは、デバイス１への接続処理を実行する（ステップＳ２１０）。機器切替部４５ｄは、デバイス１への接続が完了したか否かを判定する（ステップＳ２１１）。機器切替部４５ｄは、デバイス１への接続が完了したと判定した場合（ステップＳ２１１，Ｙｅｓ）、デバイス１から供給されたコンテンツを再生する（ステップＳ２１２）。
【００９８】
他方、デバイス１への接続が完了しないと判定した場合（ステップＳ２１１，Ｎｏ）、表示制御部４５ｆを介してディスプレイ５０に例えば「接続できるデバイスはありません」など接続失敗を示す表示を行い（ステップＳ２１３）、処理を終了する。
【００９９】
上述してきたように、第２の実施形態に係る切替装置４０は、監視部４５ｇを備えるようにした。これにより、第２の実施形態では、例えば、接続可能とされた機器Ｄに対してのみ、機器Ｄの切り替えを行うなどの処理が可能となり、切り替えの操作時間の短縮を図ることができる。
【０１００】
また、第２の実施形態では、監視部４５ｇの監視結果をディスプレイ５０に表示するようにしたので、ユーザは、ディスプレイ５０を目視するだけで、他のデバイスが接続可能状態か否かを容易に確認することができる。
【０１０１】
（第３の実施形態）
＜６．第３の実施形態に係る切替装置の構成＞
次いで、第３の実施形態に係る切替装置４０について説明する。図８は、第３の実施形態に係る切替装置４０を備えた車載装置２０の構成例を示すブロック図である。図８に示すように、第３の実施形態に係る切替装置４０はさらに、プリセットボタン４４を備え、プリセットボタン４４を用いて機器Ｄの切り替えを行うようにした。
【０１０２】
図９は、プリセットボタン４４の配置例を示す図である。プリセットボタン４４は、複数（例えば６個）あり、上記した無線通信ボタン４１などと同様、車両１１（図１Ａ参照）の車室内において、ユーザによって操作可能な位置に設けられる。
【０１０３】
プリセットボタン４４は、例えばディスプレイ５０の付近に設けられる。なお、図９に示すプリセットボタン４４の配置位置や形状などは例示であって、これに限られるものではない。
【０１０４】
プリセットボタン４４としては、ハードボタンなどの入力デバイスを用いることができるが、これに限定されるものではない。すなわち、例えばディスプレイ５０が、液晶タッチパネルである場合、プリセットボタン４４をディスプレイ５０上に表示するようにしてもよい。
【０１０５】
図８の説明に戻ると、登録部４５ｂは、機器Ｄの情報を登録する際、登録された順番でプリセットボタン４４に対応させつつ登録する。すなわち、登録部４５ｂは、例えば、デバイス１を最初に登録した場合、デバイス１を第１プリセットボタン４４ａと対応づけて、登録デバイス情報４６ａとして記憶部４６に記憶させる。同様に、登録部４５ｂは、次にデバイス２を登録した場合、デバイス２を第２プリセットボタン４４ｂと対応づけて、登録デバイス情報４６ａとして記憶部４６に記憶させる。
【０１０６】
また、プリセットボタン４４は、機器Ｄを切り替える際にユーザによって押下されると、押下されたことを示す押下信号を制御部４５の操作受付部４５ａへ出力する。
【０１０７】
操作受付部４５ａは、現在の動作モードが無線通信モードであるときにプリセットボタン４４が押下された場合、出力された押下信号を機器切替要求操作として受け付ける。詳しくは、操作受付部４５ａは、例えば第１プリセットボタン４４ａが押下された場合、第１プリセットボタン４４ａに対応付けられたデバイス１への機器切替要求操作として受け付ける。
【０１０８】
＜７．第３の実施形態における処理フローチャート＞
次に、第３の実施形態に係る切替装置４０で実行される動作モードの切替処理、および、機器Ｄの切替処理の内容について図１０を参照して説明する。図１０は、第３の実施形態における動作モードの切替処理、および、機器Ｄの切替処理の処理手順を示すフローチャートである。
【０１０９】
なお、図１０に示す処理は、動作モードを無線通信モード以外から無線通信モードへ切り替え、その後機器Ｄをプリセットボタン４４を用いて切り替える場合を想定して説明する。また、ここでは、第１プリセットボタン４４ａにデバイス１が登録され、第２プリセットボタン４４ｂにデバイス２が登録されるとともに、第３プリセットボタン４４ｃから第６プリセットボタン４４ｆにはデバイスが登録されていないものとして説明する。
【０１１０】
図１０において、ステップＳ３０１〜Ｓ３０３までの処理は、上記したステップＳ１０１〜Ｓ１０３と同様であるため、説明を省略する。
【０１１１】
機器切替部４５ｄは、ステップＳ３０３でデバイス１のコンテンツが再生された後、プリセットボタン４４が押下されたか否かを判定する（ステップＳ３０４）。
【０１１２】
機器切替部４５ｄは、プリセットボタン４４がユーザによって押下されない場合（ステップＳ３０４，Ｎｏ）、Ｓ３０４の処理へ戻る。一方、機器切替部４５ｄは、プリセットボタン４４が押下されて機器切替要求操作を受け付けた場合（ステップＳ３０４，Ｙｅｓ）、押下されたプリセットボタン４４に登録デバイスがあるか否かを判定する（ステップＳ３０５）。かかるステップＳ３０５の処理は、ここでは、第１、第２プリセットボタン４４ａ，４４ｂのいずれかが押下されたか否かを判定する処理である。
【０１１３】
機器切替部４５ｄは、押下されたプリセットボタン４４に登録デバイスがあると判定した場合（ステップＳ３０５，Ｙｅｓ）、押下されたプリセットボタン４４が接続中デバイス以外か否かを判定する（ステップＳ３０６）。すなわち、ステップＳ３０６の処理は、ここでは、第２プリセットボタン４４ｂが押下されたか否かを判定する処理である。
【０１１４】
機器切替部４５ｄは、押下されたプリセットボタン４４が接続中デバイス以外と判定し、デバイス２への機器切替要求操作を受け付けた場合（ステップＳ３０６，Ｙｅｓ）、デバイス２への接続処理を実行する（ステップＳ３０７）。
【０１１５】
続いて、機器切替部４５ｄは、デバイス２への接続が完了したか否かを判定する（ステップＳ３０８）。機器切替部４５ｄは、デバイス２への接続が完了したと判定した場合（ステップＳ３０８，Ｙｅｓ）、デバイス２から供給されたコンテンツを再生する（ステップＳ３０９）。
【０１１６】
他方、機器切替部４５ｄは、デバイス２への接続が完了しないと判定した場合（ステップＳ３０８，Ｎｏ）、表示制御部４５ｆを介してディスプレイ５０に例えば「デバイス２に接続できませんでした」など接続失敗を示す表示を行う（ステップＳ３１０）。
【０１１７】
続いて、機器切替部４５ｄは、表示制御部４５ｆを介してディスプレイ５０に例えば「デバイスが接続されていません」などデバイスが未接続であることを示す表示を行う（ステップＳ３１１）。
【０１１８】
すなわち、ここでは、ユーザは第２プリセットボタン４４ｂを押下しているため、第２プリセットボタン４４ｂに登録されているデバイス２の接続を所望していると推定される。従って、第３の実施形態では、デバイス２の接続に失敗した場合であっても、別のデバイス（例えばデバイス１）への接続は行わず、未接続表示を行って処理を終了することとした。これにより、第３の実施形態では、ユーザの意図に沿った処理を行うことが可能となる。
【０１１９】
なお、上記したデバイス２の接続に失敗した場合の処理は、例示であって限定されるものではなく、例えば、別のデバイス（例えばデバイス１）への接続処理を続けて行うようにしてもよい。
【０１２０】
また、機器切替部４５ｄは、押下されたプリセットボタン４４が接続中デバイスであると判定した場合（ステップＳ３０６，Ｎｏ）、すなわち、第１プリセットボタン４４ａが押下された場合、デバイス１の接続の解除処理を行う（ステップＳ３１２）。
【０１２１】
すなわち、ここでは、ユーザは接続中のデバイス１が登録されている第１プリセットボタン４４ａを押下しているため、デバイス１の接続の解除を所望していると推定し、デバイス１の接続の解除処理を行うようにした。これにより、第３の実施形態では、ユーザの意図に沿った処理を行うことが可能となる。
【０１２２】
続いて、機器切替部４５ｄは、表示制御部４５ｆを介してディスプレイ５０に例えば「デバイスが接続されていません」などデバイスが未接続であることを示す表示を行い（ステップＳ３１３）、処理を終了する。
【０１２３】
また、機器切替部４５ｄは、押下されたプリセットボタン４４に登録デバイスがないと判定した場合（ステップＳ３０５，Ｎｏ）、すなわち、例えば登録デバイスがない第３プリセットボタン４４ｃが押下されたような場合、新たにデバイスを登録する指示がなされたか否かを判定する（ステップＳ３１４）。
【０１２４】
具体的には、機器切替部４５ｄは、表示制御部４５ｆを介してディスプレイ５０に例えば「デバイスが登録されていません。新規登録しますか？」など新規のデバイス登録をするか否かの指示を要求する表示を行う。
【０１２５】
次いで、機器切替部４５ｄは、例えば、図示しない新規登録指示ボタンが押下されて新たにデバイスを登録する指示がなされた場合（ステップＳ３１４，Ｙｅｓ）、登録部４５ｂは、登録処理を行う（ステップＳ３１５）。具体的には、登録部４５ｂは、例えばデバイス３と第３プリセットボタン４４ｃとのペアリング処理を行って、第３プリセットボタン４４ｃにデバイス３を対応させて登録する。
【０１２６】
すなわち、ここでは、ユーザはデバイス登録されていない第３プリセットボタン４４ｃを押下しているため、デバイス３の新規登録を所望していると推定し、デバイス３の登録処理を行うようにした。これにより、第３の実施形態では、ユーザの意図に沿った処理を行うことが可能となる。
【０１２７】
他方、機器切替部４５ｄは、新たにデバイスを登録する指示がなされない場合（ステップＳ３１４，Ｎｏ）、ステップＳ３０３に戻ってデバイス１の再生を継続する。
【０１２８】
上述してきたように、第３の実施形態に係る切替装置４０は、プリセットボタン４４を備え、プリセットボタン４４を用いて機器Ｄの切り替えを行うようにした。これにより、ユーザは、接続したいデバイスを指定することが可能となり、ユーザビリティをより一層向上させることができる。
【０１２９】
（第４の実施形態）
＜８．第４の実施形態に係る切替装置の構成＞
次いで、第４の実施形態に係る切替装置４０について説明する。第４の実施形態に係る切替装置４０の制御部４５は、図８に想像線で示すように、第２の実施形態と同様な、監視部４５ｇを備える。そして、第４の実施形態に係る切替装置４０は、接続不可とされた機器に対して機器Ｄの切り替えを行わないようにした。
【０１３０】
なお、第４の実施形態においては、監視部４５ｇが登録デバイスの接続状態を監視する構成、および、表示制御部４５ｆが監視結果をディスプレイ５０に表示させる構成は、第２の実施形態の構成と同様であるため、ここでの説明を省略する。
【０１３１】
＜９．第４の実施形態における処理フローチャート＞
次に、第４の実施形態に係る切替装置４０で実行される動作モードの切替処理、および、機器Ｄの切替処理の内容について図１１を参照して説明する。図１１は、第４の実施形態における動作モードの切替処理、および、機器Ｄの切替処理の処理手順を示すフローチャートである。
【０１３２】
なお、図１１に示す処理は、動作モードを無線通信モード以外から無線通信モードへ切り替え、その後機器Ｄを切り替える場合を想定して説明する。また、登録デバイス情報に登録されている機器Ｄは、図６に示す例と同様であるものとする。
【０１３３】
すなわち、デバイス１〜５が第１〜第５プリセットボタン４４ａ〜４４ｅに登録されており、デバイス１とデバイス５とが接続可能な状態が監視部４５ｇによって検出されているものとする。
【０１３４】
図１１において、ステップＳ４０１〜Ｓ４０６までの処理は、上記したステップＳ３０１〜Ｓ３０６と同様であるため、説明を省略する。
【０１３５】
機器切替部４５ｄは、ステップＳ４０６の処理で、押下されたプリセットボタン４４が接続中デバイス以外と判定した場合（ステップＳ４０６，Ｙｅｓ）、押下されたプリセットボタン４４が接続可能なデバイスであるか否かを判定する（ステップＳ４０７）。ここでは、ステップＳ４０７の処理は、押下されたプリセットボタン４４が第５プリセットボタン４４ｅであるか否かを判定する処理である。
【０１３６】
すなわち、第５プリセットボタン４４ｅは、登録デバイスがあり、かつ、接続中のデバイス１以外であり、かつ、接続可能であることが監視部４５ｇによって検出されている。そのため、ここでのステップＳ４０７の処理は、第５プリセットボタン４４ｅが押下されたか否かを判定する処理といえる。
【０１３７】
機器切替部４５ｄは、押下されたプリセットボタン４４が接続可能なデバイスであると判定した場合（ステップＳ４０７，Ｙｅｓ）、接続可能なデバイス、すなわち、デバイス５への接続処理を実行する（ステップＳ４０８）。
【０１３８】
続いて、機器切替部４５ｄは、接続可能なデバイス（ここではデバイス５）への接続が完了したか否かを判定する（ステップＳ４０９）。機器切替部４５ｄは、接続可能なデバイスへの接続が完了したと判定した場合（ステップＳ４０９，Ｙｅｓ）、接続可能なデバイスから供給されたコンテンツを再生する（ステップＳ４１０）。
【０１３９】
また、機器切替部４５ｄは、接続可能なデバイスへの接続が完了しないと判定した場合（ステップＳ４０９，Ｎｏ）、表示制御部４５ｆを介してディスプレイ５０に例えば「デバイス５に接続できませんでした」など接続失敗を示す表示を行う（ステップＳ４１２）。
【０１４０】
続いて、機器切替部４５ｄは、表示制御部４５ｆを介してディスプレイ５０に例えば「デバイスが接続されていません」などデバイスが未接続であることを示す表示を行う（ステップＳ４１３）。
【０１４１】
すなわち、ここでは、ユーザは第５プリセットボタン４４ｅを押下しているため、第５プリセットボタン４４ｅに登録されているデバイス５の接続を所望していると推定される。従って、第４の実施形態では、デバイス５の接続に失敗した場合であっても、別のデバイス（例えばデバイス１）への接続は行わず、未接続表示を行って処理を終了することとした。これにより、第４の実施形態では、ユーザの意図に沿った処理を行うことが可能となる。
【０１４２】
他方、機器切替部４５ｄは、押下されたプリセットボタン４４が接続可能なデバイスではないと判定した場合（ステップＳ４０７，Ｎｏ）、すなわち、例えば第２〜第４プリセットボタン４４ｂ〜４４ｄのいずれかが押下された場合、接続不可表示を行う（ステップＳ４１１）。
【０１４３】
具体的に、ステップＳ４１１において機器切替部４５ｄは、表示制御部４５ｆを介してディスプレイ５０に例えば「接続可能状態デバイスではありません。機器の設定をご確認下さい」などデバイスが接続不可であることを示す表示を行う。
【０１４４】
その後、機器切替部４５ｄは、ステップＳ４０３に戻ってデバイス１の再生を継続する。なお、図１１において、ステップＳ４１４〜Ｓ４１７の処理は、上記したステップＳ３１２〜Ｓ３１５の処理の説明が妥当するため、ここでは説明を省略する。
【０１４５】
上述してきたように、第４の実施形態に係る切替装置４０では、接続不可とされた機器に対して機器Ｄの切り替えを行わないようにした。これにより、接続不可のデバイスに対して接続処理を行ってしまうなど不要な処理時間が生じず、デバイス切り替えの操作時間の短縮を図ることができる。
【０１４６】
なお、上記した実施形態では、車載装置２０と機器Ｄとを無線通信を介して接続するようにしたが、これに限られず、例えば車載装置２０と機器Ｄとを通信ケーブルで物理的に接続し、有線通信によって相互に信号を送受信できるようにしてもよい。
【０１４７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１４８】
１０  車載システム
１１  車両
２０  車載装置
３０  無線通信部
４０  切替装置
４１  無線通信ボタン
４４  プリセットボタン
４５  制御部
４５ａ  操作受付部
４５ｂ  登録部
４５ｃ  モード切替部
４５ｄ  機器切替部
４５ｅ  音声制御部
４５ｆ  表示制御部
４５ｇ  監視部
４６  記憶部
５０  ディスプレイ
６０  スピーカ
【図１Ａ】
2016218797.tif 000003
【図１Ｂ】
2016218797.tif 000004
【図２】
2016218797.tif 000005
【図３】
2016218797.tif 000006
【図４】
2016218797.tif 000007
【図５】
2016218797.tif 000008
【図６】
2016218797.tif 000009
【図７】
2016218797.tif 000010
【図８】
2016218797.tif 000011
【図９】
2016218797.tif 000012
【図１０】
2016218797.tif 000013
【図１１】
2016218797.tif 000014